(57)【要約】【課題】ロード・アンロード方式を採用する磁気ディスク装置において、ＧＭＲセンサの磁区が不均衡になり、ＧＭＲセンサの出力が低下または再生波形が変形した場合でも、ＧＭＲセンサの磁区を是正し信頼性の高い磁気ディスク装置を提供する。【解決手段】磁束を発生する磁束発生手段をアンロードされたヘッドの近傍に配置することにより、ＧＭＲセンサの磁区の不均衡を是正し、ＧＭＲセンサの出力低下または再生波形の変形を改善するようにした。【選択図】  図２
2004192673.tif 000002
【特許請求の範囲】
【請求項１】
表面にデータ領域およびサーボ領域を配置した記憶媒体と、ＭＲセンサを使用したヘッドと、前記ヘッドを装着し前記ヘッドを前記サーボ領域のサーボ情報に基づいて前記記憶媒体の表面上の所定位置に位置付けるアクチュエータ・アームと、前記アクチュエータ・アームの動作および読み書き動作を制御する制御部とを有し、前記記憶媒体表面から離れた位置に配置したランプに係合するロード・アンロード方式の磁気ディスク装置において、
前記ヘッドが前記ランプの停止位置にある時、前記ヘッドの近傍に前記ＭＲセンサの磁区の不均衡を是正するための磁束発生手段を設け、前記磁束発生手段の少なくとも一部の磁束は前記ヘッドへ直線状に供給されることを特徴とする磁気ディスク装置。
【請求項２】
前記磁束発生手段は、永久磁石であることを特徴とする請求項１に記載の磁気ディスク装置。
【請求項３】
前記磁束発生手段は、磁気ディスク装置の主電源に同期して、ＯＮ動作する電磁石であることを特徴とする請求項１に記載の磁気ディスク装置。
【請求項４】
前記磁束発生手段は、前記ヘッドが前記ランプの停止位置にある時、かつ外部からの操作によりＯＮ動作する電磁石であることを特徴とする請求項１に記載の磁気ディスク装置。
【請求項５】
前記ヘッドは、Ｆｒｅｅ層、Ｐｉｎ層、ＡＦＭ層、ＰＭ層で構成されるＧＭＲセンサを持ち、前記磁束発生手段は、前記ＰＭ層の磁区の不均衡を是正するためにＰＭ層の磁束の向きと同じ向きに磁束を供給するように配置したことを特徴とする磁気ディスク装置。
【発明の詳細な説明】
【０００１】
【発明の属する技術分野】本発明は、ロード・アンロード方式を用いた磁気ディスク装置に関するものであり、特にＭＲセンサを使用したヘッドの磁区の不均衡を是正する特徴を有するものである。
【０００２】
【従来の技術】従来、磁気ディスク装置の再生ヘッドとして高記録密度を実現するために、ＭＲセンサを利用したＭＲヘッドが使用されてきたが、近年より再生能力に優れたＧＭＲ（Ｇｉａｎｔ  Ｍａｇｎｅｔｒｏ  Ｒｅｓｉｓｔａｎｃｅ）センサを使用するようになった。ＧＭＲセンサはバイアス電流、静電気、ノイズによる加熱、ヘッドと記憶媒体との物理的接触による加熱、磁気ディスク装置内部の温度上昇などによる熱ストレスを受けることによりＧＭＲセンサの磁区が不均衡になった場合、ＧＭＲセンサの出力が低下したり再生波形が変形し、データの読み取りエラーやサーボ情報の読み取りエラーによる誤動作を生じる。
【０００３】
従来のロード・アンロード方式を用いた磁気ディスク装置では、図１に示すように、筐体１にスタックされた表面にデータ領域およびサーボ領域を配置した記憶媒体２上から、ＧＭＲセンサを利用するヘッド４が取り付けられているアクチュエータ・アーム３をランプ５に図中の矢印Ｂ方向へアンロードし、記憶媒体２上に記録されたデータを破壊することなくダミーライトを行い、ライトヘッドが発生する漏れ磁束を利用し不均衡になった磁区を是正させるが、ライトヘッドの漏れ磁束は通常の書き込み動作時には周囲の記録を破壊する場合があり、今後、積極的にライトヘッドの漏れ磁束をＧＭＲセンサの磁区の不均衡を是正する目的に利用できないため、将来的に、ダミーライトによりＧＭＲセンサの磁区の不均衡を是正できない可能性が高い。
【０００４】
【特許文献１】
特開２００１−９３１０４号公報（第４−７頁、第６図）
【０００５】
【発明が解決しようとする課題】このように、ＧＭＲセンサは熱ストレスにより磁区が不均衡になる可能性があり、ＧＭＲセンサの出力が低下したり再生波形が変形し、データの読み取りエラーやサーボ信号の読み取りエラーによる誤動作を生じる恐れがあった。
【０００６】
不均衡になった磁区を是正させるためには、ＧＭＲセンサに外部から磁束を与え、磁区を是正させる必要があるが、記録密度の向上に伴い、ライトヘッドの漏れ磁束により通常ライト動作中に記憶媒体上のデータを破壊する可能性もあり、磁区の是正のために漏れ磁束を積極的に利用することは困難である。
【０００７】
本発明の目的は、磁気ディスク装置に、ヘッドをアンロードした位置の近傍に磁束を発生させる磁束発生手段を設け、ライトヘッドの漏れ磁束を用いず、ＧＭＲセンサの不均衡になった磁区を是正させることである。
【０００８】
【課題を解決するための手段】
前記課題を解決するために、本発明の磁気ディスク装置では、磁束発生手段を設け、熱ストレスにより不均衡となったＧＭＲセンサの磁区を是正させることを特徴としたものである。
【０００９】
本発明によれば、記録密度向上によりライトヘッドからの漏れ磁束を利用できなくなった場合でもＧＭＲセンサの磁区を是正する能力を有するため、熱ストレスによるＧＭＲセンサの磁区が不均衡になることがあっても、データの読み取りエラーやサーボ信号の読み取りエラーによる誤動作を減らし、磁気ディスク装置の信頼性を高めることができる。
【００１０】
【発明の実施の形態】
請求項１記載の発明は、表面にデータ領域およびサーボ領域を配置した記憶媒体と、ＭＲセンサを使用したヘッドと、前記ヘッドを装着し前記ヘッドを前記サーボ領域のサーボ情報に基づいて前記記憶媒体の表面上の所定位置に位置付けるアクチュエータ・アームと、前記アクチュエータ・アームの動作および読み書き動作を制御する制御部とを有し、前記記憶媒体表面から離れた位置に配置したランプに係合するロード・アンロード方式の磁気ディスク装置において、
前記ヘッドが前記ランプの停止位置にある時、前記ヘッドの近傍に前記ＭＲセンサの磁区の不均衡を是正するための磁束発生手段を設け、前記磁束発生手段の少なくとも一部の磁束は前記ヘッドへ直線状に供給されることを特徴とする。
【００１１】
この構成によれば、ライトヘッドの漏れ磁束が記録密度向上のために、減少しＭＲセンサの磁区の不均衡を是正できなくなったとしても、ＭＲセンサの磁区の不均衡を是正するために必要な磁束をＭＲセンサに供給することができる。
【００１２】
請求項２記載の発明は、請求項１記載の磁束発生手段は、永久磁石であることを特徴とする。
【００１３】
請求項３記載の発明は、請求項１記載の磁束発生手段は、磁気ディスク装置の主電源に同期して、ＯＮ動作する電磁石であることを特徴とする。
【００１４】
この構成によれば、磁束発生手段が発生する磁束を制御することができ、通常リード動作時に電磁石をＯＦＦにすることにより、磁束発生手段が発生する磁束の影響によるリードエラーを防ぐこともできる。また磁気ディスク装置の主電源に同期させることで、磁気ディスク装置の主電源がＯＦＦである時に、電磁石は磁束を発生しないので、ヘッドやアクチュエータ・アームなどの帯磁を防ぐことができ、帯磁が発生する磁束によるリードエラーを防ぐことができる。
【００１５】
請求項４記載の発明は、請求項１記載の磁束発生手段は、前記ヘッドが前記ランプの停止位置にある時、かつ外部からの操作によりＯＮ動作する電磁石であることを特徴とする。
【００１６】
この構成によれば、ＧＭＲセンサの磁区が不均衡となり発生する再生波形変形やリードエラー、位置制御エラーが発生した場合にヘッドをランプにアンロードして電磁石をＯＮ動作することにより、電磁石で消費する電力を抑えることができる。また、通常リード動作時に電磁石をＯＦＦにすることにより、磁束発生手段が発生する磁束の影響によるリードエラーを防ぐことができる。また電磁石がＯＮ動作中以外は磁束を発生しないので、ヘッドやアクチュエータ・アームなどの帯磁を防ぐことでき、帯磁が発生する磁束によるリードエラーを防ぐことができる。
【００１７】
請求項５記載の発明は、請求項１記載のヘッドが、Ｆｒｅｅ層、Ｐｉｎ層、ＡＦＭ層、ＰＭ層からなり、磁束発生手段は、ＰＭ層の磁区の不均衡を是正するためにＰＭ層の磁束の向きと同じ向きに磁束を供給するように配置したことを特徴とする。
【００１８】
以下に本発明の実施例を、図を使って説明する。
【００１９】
（実施の形態１）
図２は本発明の実施例に採用するロード・アンロード方式を採用する磁気ディスク装置内部の概念図である。筐体１に表面にデータ領域およびサーボ領域を配置した記憶媒体２がスタックされている。ここで、図３のようにＰＭ層８、ＡＦＭ層９、ＰＩＮ層１０、Ｆｒｅｅ層１１で構成されるＧＭＲセンサ７を利用したヘッド４が取り付けられているアクチュエータ・アーム３が、ランプ５から記憶媒体２に移動することをロードと呼び、図中矢印Ａの方向へ動く。ヘッド４が取り付けられているアクチュエータ・アーム３が、記憶媒体２からランプ５に移動することをアンロードと呼び、図中矢印Ｂの方向へ動く。ＧＭＲセンサ７を構成するＰＭ層８の磁区の不均衡を是正するための磁束発生手段として永久磁石６を筐体１上の、アンロードして停止したヘッド４の位置の近傍に取り付ける。このとき、永久磁石６で発生する磁束が、ヘッド４をアンロードして停止した位置でＧＭＲセンサ７を構成するＰＭ層８の磁束の向きと同じ向きとなるようにする。これにより、磁束発生手段である永久磁石６が発生する磁束によりＰＭ層８の磁区を是正することを実現し、磁気ディスク装置の信頼性を高めることができる。
【００２０】
（実施の形態２）
図４，５は磁束発生手段として永久磁石６を図１のランプ５に配置した時のランプ５の断面図及び平面図である。ヘッド４がアンロードされたときに磁束発生手段の永久磁石６が発生する磁束により、ヘッド４のＧＭＲセンサ７を構成する磁性層の磁区の不均衡を是正することを実現する。
【００２１】
（実施の形態３）
図６は磁束発生手段として電磁石１２を使用し、その電磁石１２はＦＰＣＢ１３と電気的に接続された磁気ディスク装置内部の概念図である。ヘッド４が取り付けられたアクチュエータ・アーム３は磁気ディスク装置の主電源がＯＦＦの時、ランプ５にアンロードされている。このとき、電磁石１２は磁束を発生していないため、ヘッドやアクチュエータ・アームは帯磁しない。今、磁気ディスク装置の主電源がＯＮされると、電磁石１２から磁束を発生させるために、ＦＰＣＢ１３経由で電磁石１２に電流を供給する。電磁石１２に電流供給されて発生する磁束により、ヘッド４のＧＭＲセンサ７を構成する磁性層の磁区の不均衡を是正することができる。また、記憶媒体２がある回転数に到達し、アクチュエータ・アーム３が記憶媒体２上にランプ５からロードされるまでに電磁石１２への電流供給を止める事により、通常動作時に電磁石１２が発生する磁束によるヘッド４の再生波形への影響をなくすこともできる。
【００２２】
【発明の効果】
以上のように、本発明の磁束発生手段をもつ磁気ディスク装置によれば、記録密度向上のためにライトヘッドの漏れ磁束が無くなるまたは小さくなった場合でも、ＧＭＲセンサの磁区の不均衡により発生するＧＭＲセンサの出力が低下や再生波形の変形が改善され、磁気ディスク装置の信頼性の向上を図ることができる。
【図面の簡単な説明】
【図１】ロード・アンロード方式を採用した磁気ディスク装置内部の概念図
【図２】実施の形態１における磁束発生手段として永久磁石６を筐体１に取り付けた磁気ディスク装置内部の概念図
【図３】ヘッド４のＧＭＲセンサ７を構成する磁性層の概念図
【図４】実施の形態２における磁束発生手段として永久磁石６をランプロードに取り付けたランプロードの断面図
【図５】図３のランプの平面図
【図６】実施の形態３における磁束発生手段として電磁石１２を筐体１に取り付けた磁気ディスク装置の概念図
【符号の説明】
１  筐体
２  記憶媒体
３  アクチュエータ・アーム
４  ＧＭＲヘッド
５  ランプ
６  永久磁石
７  ＧＭＲセンサ
８  ＰＭ層
９  ＡＦＭ層
１０  ＰＩＮ層
１１  Ｆｒｅｅ層
１２  電磁石
１３  ＦＰＣＢ
【図１】
2004192673.tif 000003
【図２】
2004192673.tif 000004
【図３】
2004192673.tif 000005
【図４】
2004192673.tif 000006
【図５】
2004192673.tif 000007
【図６】
2004192673.tif 000008